(57)【要約】【課題】  安全性を向上することができると共に、接着テープの切断端に剥離代となる非接着部分を自動的に形成できる接着テープカッターを提供することを目的とする。【解決手段】  略コ字型に折曲成形されたブラケット１に、クラフトテープＴを装填するリール２が連結されると共に、このブラケット１内にクラフトテープＴを切断するハサミ部３と、ハサミ部３を開閉動作するための作動レバー４とを設ける。ブラケット１の天板部１ａには略Ｖ字形に切り取られた凹所を有するテープ案内部５を設け、ハサミ部３はこの案内部５の下方に一対の切断刃３ａを水平に保持した状態で取り付ける。【選択図】  図１
2006290550.tif 000002
【特許請求の範囲】
【請求項１】
接着テープを装填するリールと、略Ｖ字形の凹所からなるテープ案内部を有するブラケットと、テープ案内部の下方に設けられたハサミ部と、該ハサミ部を開閉動作する作動レバーとからなることを特徴とする接着テープカッター。
【発明の詳細な説明】
【技術分野】
【０００１】
本発明は、ハンディタイプの接着テープカッターに関し、接着テープの切断端に折り返し部分を形成することで、ダンボール箱などの対象物に貼着した接着テープの剥離作業を容易に行うことができるようにした接着テープカッターに関するものである。
【背景技術】
【０００２】
従来、ハンディタイプの接着テープカッター（以下、単にテープカッターと言う）としては、テープ保持部及びカッター刃を設けたテープカッター本体に、ロール状の接着テープを回転式に装填し、接着テープの先端を引き出して使用するようになっている。そして、切断された接着テープ片は、そのテープ片全面が接着対象物の表面に貼着されるので、例えば、当初からテープを剥離することを目的とした段ボール箱や大型封筒などに貼着する場合、一旦貼着したテープを剥離することが甚だ困難になる。このため、貼着後にテープの剥離が予定されている場合、切断された接着テープ片の端部を接着面側に折り返して貼り合わせることにより、非接着部分を予め形成して接着対象物に貼着する方法が多く採用されている。
【０００３】
しかし、この作業は接着面同士の貼り合わせ作業となるので、接着テープ片が切断端部以外で貼り着いてしまう欠点がある。また、手指に接着テープ片が付着してズレが生じやすく、意外と困難を伴う作業となっている。そこで、切断後の接着テープ片に、紙テープ片を貼り合わせて、非接着部分（剥離代）を形成するようにしたテープカッターが提案されている（例えば、特許文献１参照。）。
【０００４】
【特許文献１】特開２００１−１０７６２号公報（第２−４頁、図１−図４）
【発明の開示】
【発明が解決しようとする課題】
【０００５】
しかしながら、上記公報所載のテープカッターは、接着テープと紙テープとを別々に引き出し、更に引き出した各々のテープを別々の切刃で切断する必要がある。しかも、剥離代となる紙テープの引出し量を送りハンドルを用いて手作業で調節しなければならないという非常に手間のかかるものになっている。他にも接着テープとしてクラフトテープを用いるものでは、クラフトテープの引出しを案内、押圧する案内ローラ、押圧ローラや回転防止板を備えたタイプのものがある。また、クラフトテープは素材が丈夫なため、カッターには鋭い切刃が用いられて危険である。この点を考慮して、一部に手動でスライドする安全カバー又はハンドルを取り付けたタイプのものがある。
【０００６】
また、クラフトテープは粘着力が強いために、例えばダンボール箱の封緘に使用した場合、封緘したテープが剥がし難くなり開梱が困難になる。そのため、カッターナイフやハサミなどを用いたり、テープ粘着した封緘部分を叩いて破ることもあるが、このような方法で開封した場合は、ダンボール箱の中身の商品などを傷つけるおそれがある。また、クラフトテープを切る際には、テープカッターを持った方の手首をひねる動作をする必要があるので、このような作業を長時間繰り返して行うと手首を傷めてしまう原因になることがある。
本発明は、上記のような従来技術の問題点に鑑み、安全性を向上することができると共に、接着テープの切断端に剥離代となる非接着部分を自動的に形成できる接着テープカッターを提供することを目的とするものである。
【課題を解決するための手段】
【０００７】
この目的を達成するため、本発明は、接着テープを装填するリールと、略Ｖ字形の凹所からなるテープ案内部を有するブラケットと、テープ案内部の下方に設けられたハサミ部と、該ハサミ部を開閉動作する作動レバーとからなることを特徴とする。
【０００８】
本発明により、ダンボール箱などに貼り付けられたクラフトテープの後端部分に非接着部分が形成され、この非接着部分はクラフトテープの剥離代として機能し、クラフトテープを剥離する際には、剥離代である非接着部分を掴んで容易に剥がすことができる。
【発明の効果】
【０００９】
本発明によれば、テープ切断端にテープを剥がす際の手掛かりとなる剥離代を容易に形成することができる。その際に、剥離代となる非接着部材を別途用いる必要がないばかりか、テープカッターの機構も簡易で製作コストも低く経済的に製作できる。
【発明を実施するための最良の形態】
【００１０】
次に、本発明の実施の態様を図面に示す実施例に基づいて説明する。
図１は本発明に係るテープカッターの一実施例を示す斜視図、図２（ａ）は図１の一部断面平面図、（ｂ）は図１の側面図、図３は本発明に係るテープカッターの他の実施例を示す斜視図、図４（ａ）は図３の一部断面平面図、（ｂ）は図３の側面図、図５はテープの切断状態を模式的に示す要部斜視図、図６は被接着体に貼付したテープ切断端部を示す説明図である。
【実施例１】
【００１１】
図１乃至図２に示すように、本実施例に係る接着テープ（クラフトテープ）カッターは、概略、略コ字型に折曲成形されたブラケット１に、クラフトテープＴを装填するリール２が連結されると共に、このブラケット１内にクラフトテープＴを切断するハサミ部３と、ハサミ部３を開閉動作するための作動レバー４とから構成されている。ブラケット１の天板部１ａには略Ｖ字形に切り取られた凹所を有するテープ案内部５が設けられ、ハサミ部３はこの案内部５の下方に一対の切断刃３ａを水平に保持した状態で取り付けられている。
【００１２】
また、ブラケット１の天板１ａ上には、その両端部に一対の支持板６ａを有するステイ６が立設され、このステイ６に作動レバー４に連結された一対の傾動杆４ａがスプリング（トーションバネ）７を介してシャフト８により軸承されている。このスプリング７は作動レバー４を上方に付勢するバネ部材であって、これにより一対の傾動杆４ａを前方に付勢し、ハサミ部３は開状態に保持される。図中、１１は、ブラケット１の後端部に上下傾動可能に軸支されたテープ押えカバーである。
【００１３】
ハサミ部３の各切断刃３ａの後端には任意の鈍角をもってアーム３ｂが連結され、このアーム３ｂに形成された透孔３ｃに前記傾動杆４ａの先端部がブラケット１の天板部１ａに形成された長孔１ｂを挿通して嵌挿され、作動レバー４の作動（後方に引き下げる動作）に従って後退し、ハサミ部３が閉状態となり、クラフトテープＴを切断することができるようにされている。ハサミ部３の要軸３ｃはコイルスプリング１０に貫装され、これよってハサミ部３が下方に付勢された状態でブラケット１の天板１ａに軸支されている。図中、９はテープ押さえシャフト、１ｃはブラケット１の両側板の下端から内方に折曲して設けられたテープ落下防止爪である。
【実施例２】
【００１４】
本発明の他の実施例を、図３乃至図４に示す。便宜上、実施例１と同様の構成要素には同一の参照符号を付した。
【００１５】
図３乃至図４に示すように、本実施例に係る接着テープ（クラフトテープ）カッターは、概略、略コ字型に折曲成形されたブラケット１に、クラフトテープＴを装填するリール２が連結されると共に、このブラケット１内にクラフトテープＴを切断するハサミ部３と、ハサミ部３を開閉動作するための作動レバー４とから構成されている。ブラケット１の天板部１ａには略Ｖ字形に切り取られた凹所を有するテープ案内部５が設けられ、ハサミ部３はこの案内部５の下方に一対の切断刃３ａを水平に保持した状態で取り付けられている。
【００１６】
また、ブラケット１の天板１ａ上には、その両端部に一対の支持板６ａを有するステイ６が立設され、このステイ６に作動レバー４に連結された一対の傾動杆４ａがスプリング（トーションバネ）７を介してシャフト８により軸承されている。このスプリング７は作動レバー４を上方に付勢するバネ部材であって、これにより一対の傾動杆４ａを後方に付勢し、ハサミ部３は開状態に保持される。
【００１７】
ハサミ部３の各切断刃３ａの後端には任意の鋭角をもってアーム３ｂが連結され、このアーム３ｂに形成された透孔３ｃに前記傾動杆４ａの先端部がブラケット１の天板部１ａに形成された長孔１ｂを挿通して嵌挿され、作動レバー４の作動（下方に押し下げる動作）に従って前進し、ハサミ部３が閉状態となり、クラフトテープＴを切断することができるようにされている。ハサミ部３の要軸３ｃはコイルスプリング１０に貫装され、これよってハサミ部３が下方に付勢された状態でブラケット１の天板１ａに軸支されている。図中、９はテープ押えシャフト、１ｃはブラケット１の両側板の下端から内方に折曲して設けられたテープ落下防止爪である。
【００１８】
図５（ａ）に示すように、テープ押さえシャフト９を介して引き出されたクラフトテープＴは、テープ案内部５のＶ字状凹部に倣って略三角形状に内方に折り曲げられ、図５（ｂ）に示すように、この状態でハサミ部３によって切断されたる。その際、クラフトテープＴの切断端は、その切断端Ｔ３のみが互いに接着した状態となり略袋状を呈する、そして、この部分を平らに押し潰すことで、図６に示すように被接着体Ｄに左右から略三角形状に折り込まれたＴ１及びＴ２の非接着部が形成される。つまりクラフトテープＴを貼着した後、被接着体ＤからクラフトテープＴを剥離するには、クラフトテープＴの非接着部Ｔ１及びＴ２部分をつかんで引き上げればよく、被接着体ＤからクラフトテープＴを簡単に剥がすことができる。
【図面の簡単な説明】
【００１９】
【図１】本発明に係るテープカッターの一実施例を示す斜視図である。
【図２】（ａ）は図１の一部断面平面図、（ｂ）は図１の側面図である。
【図３】本発明に係るテープカッターの他の実施例を示す斜視図である。
【図４】（ａ）は図３の一部断面平面図、（ｂ）は図３の側面図である。
【図５】テープの切断状態を模式的に示す要部斜視図である。
【図６】被接着体に貼付したテープ切断端部を示す説明図である。
【符号の説明】
【００２０】
１      ブラケット
１ａ    ブラケットの天板部
１ｂ    長孔
１ｃ    テープ落下防止爪
２      リール
３      ハサミ部
３ａ    切断刃
３ｂ    切断刃のアーム
３ｃ    アームの透孔
３ｄ    ハサミ部の要軸
４      作動レバー
４ａ    傾動杆
５      テープ案内部（Ｖ字状凹所）
６      ステイ
６ａ    支持板
７      スプリング（トーションバネ）
８      シャフト
９      テープ押えシャフト
１０    コイルスプリング
１１    テープ押えカバー
Ｔ      接着テープ（クラフトテープ）
Ｔ１    接断端
Ｔ２    非接着部（折込部）
Ｔ３    非接着部（折込部）
【図１】
2006290550.tif 000003
【図２】
2006290550.tif 000004
【図３】
2006290550.tif 000005
【図４】
2006290550.tif 000006
【図５】
2006290550.tif 000007
【図６】
2006290550.tif 000008